(57)【要約】【課題】本発明の目的は、電子機器が人体に帯電する静電気放電の影響を受けにくくすることである。【解決手段】本発明の電子機器は、操作部保護用の開閉できる蓋を備えた電子機器であって、前記蓋の開を検出する蓋開検出器と、該蓋開検出器が前記蓋の開を検出した場合に電子機器の制御方法を保護動作処理に変更する制御部を有することを特徴とする。【選択図】  図１
2018180584.tif 000002
【特許請求の範囲】
【請求項１】
操作部保護用の開閉できる蓋を備えた電子機器であって、
前記蓋の開を検出する蓋開検出器と、該蓋開検出器が前記蓋の開を検出した場合に電子機器の制御方法を保護動作処理に変更する制御部を有することを特徴とする電子機器。
【請求項２】
請求項１に記載の電子機器において、
前記制御部は、前記保護動作処理として、当該制御部へ供給される電流量を増やす、または、当該制御部のクロック周波数を高くする処理の少なくとも一方を実施することを特徴とする電子機器。
【請求項３】
請求項１または請求項２に記載の電子機器において、
さらに、表示部を有し、
前記制御部は、前記蓋開検出器が前記蓋の開を検出した場合には前記表示部の更新頻度を上げることを特徴とする電子機器。
【請求項４】
遠隔操作用の無線端末を備えた電子機器であって、
前記無線端末は、表示部と操作部を有し、
前記操作部は無線通信で電子機器を遠隔操作し、前記表示部は前記遠隔操作内容を表示することを特徴とする電子機器。
【請求項５】
遠隔操作用の無線端末を備えた電子機器であって、
前記電子機器は、表示部用拡張現実パターン画像を表示し、
前記無線端末は、前記表示部用拡張現実パターン画像を撮影する撮影装置と、前記表示部用拡張現実パターン画像を表示する表示画面を有することを特徴とする電子機器。
【請求項６】
請求項５に記載の電子機器において、
前記電子機器は、操作部用拡張現実パターン画像を表示し、
前記無線端末は、前記撮影装置で撮影した前記操作部用拡張現実パターン画像と、無線通信で取得した動作状況表示を前記表示画面に合成表示することを特徴とする電子機器。
【発明の詳細な説明】
【技術分野】
【０００１】
本発明は、電子機器に関するものである。
【背景技術】
【０００２】
従来の電子機器について図２を用いて説明する。
図２は従来技術における電子機器を説明するための図である。
電子機器２０１は外観を良く見せる、あるいは内部を保護するための蓋２０２を有する。そして、蓋２０２を開けた本体側に操作の状況を示すために表示部２０３を有することがある。
操作者は蓋２０２を開け、操作部２０４−１，２を操作するが、操作部２０４に人間の手や器具を接触させることにより、人体に帯電した静電気放電２０５が起きることがある。静電気放電２０５が起きると電子機器２０１は動作異常を引き起こすことがある。また、操作による静電気放電２０５、あるいは接触により、電子機器２０１が破損することがある。
【０００３】
先行技術文献としては、例えば、特許文献１に、不慮な静電気破壊やノイズ等による誤動作を防ぐ発明が開示されている。
【先行技術文献】
【特許文献】
【０００４】
【特許文献１】特開２０１０−２６８５３号公報
【発明の概要】
【発明が解決しようとする課題】
【０００５】
従来の技術では電子機器を直接触れることで電子機器を操作する必要があり、操作を実施するにあたり人体に帯電した静電気が電子機器に放電されると電子機器の破壊または異常が生じていた。
本発明の目的は、上記課題に鑑みて為されたもので、電子機器が人体に帯電する静電気放電の影響を受けにくくすることである。
【課題を解決するための手段】
【０００６】
本発明の電子機器は、操作部保護用の開閉できる蓋を備えた電子機器であって、前記蓋の開を検出する蓋開検出器と、該蓋開検出器が前記蓋の開を検出した場合に電子機器の制御方法を保護動作処理に変更する制御部を有することを特徴とする。
【０００７】
また、前記制御部は、前記保護動作処理として、当該制御部へ供給される電流量を増やす、または、当該制御部のクロック周波数を高くする処理の少なくとも一方を実施することが好ましい。
【０００８】
また、電子機器は表示部を有し、前記制御部は前記蓋開検出器が前記蓋の開を検出した場合には前記表示部の更新頻度を上げることが好ましい。
【０００９】
また、本発明の電子機器は、遠隔操作用の無線端末を備えた電子機器であって、前記無線端末は表示部と操作部を有し、前記操作部は無線通信で電子機器を遠隔操作し、前記表示部は前記遠隔操作内容を表示することを特徴とする。
【００１０】
また、本発明の電子機器は、遠隔操作用の無線端末を備えた電子機器であって、前記電子機器は表示部用拡張現実パターン画像を表示し、前記無線端末は前記表示部用拡張現実パターン画像を撮影する撮影装置と、前記表示部用拡張現実パターン画像を表示する表示画面を有することを特徴とする。
【００１１】
さらに、電子機器は操作部用拡張現実パターン画像を表示し、前記無線端末は前記撮影装置で撮影した前記操作部用拡張現実パターン画像と、無線通信で取得した動作状況表示を前記表示画面に合成表示することが好ましい。
【発明の効果】
【００１２】
本発明によれば、電子機器の操作時に問題となる機器の動誤動作を低減または全く生じさせずに電子機器の操作ができるようになる。
また、直接電子機器に触れることなく電子機器を操作することができるため、人を死傷に至らせる原因となる感電や、誤った操作による電子機器の破損を根本的に防止することができる。
【図面の簡単な説明】
【００１３】
【図１】本発明の第１実施形態に係る電子機器を説明するための図である。
【図２】従来技術における電子機器を説明するための図である。
【図３】本発明の実施形態に係る電子機器の動作を説明するためのフローチャートである。
【図４】本発明の実施形態に係る電子機器の制御方法を説明するための図である。
【図５】本発明の第２実施形態に係る電子機器を説明するための図である。
【図６】本発明の第３実施形態に係る電子機器を説明するための図である。
【図７】本発明の第３実施形態に係る電子機器の動作を説明するための図である。
【発明を実施するための形態】
【００１４】
以下、本発明の実施形態について図面を参照して詳細に説明する。
図１は本発明の第１実施形態に係る電子機器を説明するための図である。
図１において、電子機器１０１は、外観を良く見せる、あるいは内部を保護するための蓋１０２と、蓋１０２が開となったことを検知する蓋開検出器１０６と、蓋１０２が開になったことを判断して制御動作を変更する制御部１０７を有し、蓋１０２が開けられた場合には、蓋１０２が開となったことを検知する蓋開検出器１０６からの信号によって、制御部１０７が制御方法を変更するものである。
【００１５】
電子機器１０１は蓋１０２が開となった場合には、蓋１０２が開けられたことを制御部１０７が自動的に判断し、制御方法を変えることによって、操作があっても、例えば、操作部１０４−１を操作するために人体が触れ、人体に帯電する静電気放電１０５があった場合に備えることができる。
【００１６】
次に、電子機器１０１が表示部１０３を有している場合の動作について説明する。
電子機器１０１は、例えば、蓋１０２が開の場合、操作部１０４を操作するために手が触れ、人体に帯電する静電気放電１０５があった場合を想定して、動作異常により表示に不具合が生じた場合を考慮して予め表示部１０３の表示更新頻度を多くするように設定し、人間が感知できるより前に表示を復旧させる。
また、電子機器１０１は、蓋１０２が閉じた状態では表示部１０３の更新頻度を少なくする、または表示部１０３が外部から見えない場合には非表示にして消費電力を抑えることができる。
【００１７】
次に、電子機器の制御方法について図１と図３を用いて説明する。
図３は本発明の実施形態に係る電子機器の動作を説明するためのフローチャートである。
図３において、電子機器１０１は、蓋１０２が開であるか否かを判定し（３０１）、開である場合（ＹＥＳ）には３０３の処理に進み、閉である場合（ＮＯ）には３０２の処理に進む。
【００１８】
電子機器１０１は、３０２の処理では通常の動作処理を行い、３０１の処理に戻る。なお、通常の動作は消費電流を抑えるために必要最低限度の動作に抑えることが出来ているものである。
電子機器１０１は、３０３の処理では保護のための動作処理を行い、３０４の処理に進む。
【００１９】
電子機器１０１は、３０４の処理では蓋１０２が開であるか否かを判定し、開である場合（ＹＥＳ）には保護のための制御処理３０３を維持して３０３の処理に戻り、閉である場合（ＮＯ）には３０１の処理に戻る。
【００２０】
次に、電子機器を保護するための具体的な制御内容について図１と図４を用いて説明する。
図４は本発明の実施形態に係る電子機器の制御方法を説明するための図である。
電子機器１０１は、例えば、静電気放電１０５により制御部１０７の伝達信号に瞬間的な電気的な雑音が加わることで、電気信号の正常動作が阻害され動作異常に至るものである。
【００２１】
電子機器１０１は、蓋１０２が開けられている状態を判定すると、保護動作処理（４０２）に移行し、例えば、制御部１０７の電流量を増やす（４０６）ことによって電気的な雑音の電気的なエネルギーに対し制御回路の電気エネルギーを相対的に増加させ電気的な雑音に対抗する。
【００２２】
また、制御部１０７はクロックと呼ばれる周期的な電気信号を用いて制御の時間的な演算を行っており、瞬間的な電気的な雑音が加わった瞬間のみの処理が動作異常となるため、クロック周波数を高くする（時間的な演算が早いほど）ほど瞬間的な雑音に受ける処理の数が相対的に大きくなる。このため、クロック速度を遅くする（４０７）ことで処理に失敗する可能性を下げる。
また、電子機器１０１は、表示部１０３や制御部１０７の処理タイミング（リフレッシュレート)を早くする（４０８）ことにより、瞬間的な雑音により処理異常が起きても人間が感知できるより早く復旧することができる。
なお、表示部１０３の処理タイミング（リフレッシュ）を早くすることは、例えば、制御部１０７が表示部１０３の更新頻度を上げることである。
【００２３】
本発明の電子機器１０１は、前述の制御方法例を一つ、または任意の複数を同時に実行することによって静電気放電による機器の異常動作を低減させることができることが特徴である。
また、本発明の電子機器１０１は、蓋１０２開時の保護動作処理（４０２）時に前述の制御方法を実施することに特徴があり、蓋１０２が閉まった状態での通常動作処理（４０１）では制御部１０７の電流量を小さく（４０３）することで消費電流を小さくすることができ、クロック速度を早く（４０４）することで通常時には演算処理できる量を増やすことができ、リフレッシュ速度を遅くする（４０５）ことで余計な処理の量を減らすことができるため、通常時には演算処理が早くなるといったメリットを確保できることも特徴である。
【００２４】
次に、本発明の第２実施形態について図５を用いて説明する。
図５は本発明の第２実施形態に係る電子機器を説明するための図である。
電子機器５０１は無線通信装置５０５を有し、物理的に離れた位置から無線端末５０６の操作により電子機器５０１の遠隔操作ができるものである。
【００２５】
無線端末５０６は、操作部５０９が操作されると、無線通信５０７により電子機器５０１の無線通信装置５０５に情報伝送を行う。
無線通信５０７を受信した無線通信装置５０５は、無線端末５０６から伝送された情報を制御部５１０に出力する。
制御部５１０は、情報が無線端末５０６の操作部５０９によって操作されたものと判断すると電子機器５０１を制御する。すなわち、直接操作部５０４−１，２に触れて操作せずとも、無線端末５０６の操作部５０９が電子機器５０１を遠隔操作できるものである。
【００２６】
また、表示部５０３に表示される情報は制御部５１０によって制御されるものであって、この情報を無線通信装置５０５に送る。無線通信装置５０５は受け取った情報を無線通信５０７によって無線端末５０６に送信する無線通信５０７を受信した無線端末５０６は表示部５０８に電子機器５０１の表示部５０３に表示される情報と同じものが表示する。
なお、図５は説明のために蓋５０２が開いた状態としているが、無線通信５０７を実施するあたり必ずしも蓋５０２が空いている必要はない。
【００２７】
次に、本発明の第３実施形態について図６を用いて説明する。
図６は本発明の第３実施形態に係る電子機器を説明するための図である。
電子機器６０１は無線通信装置６０５を有し、物理的に離れた位置から無線端末６０６の操作により電子機器６０１の遠隔操作ができるものである。
【００２８】
無線端末６０６は、撮影装置６１１、及び撮影した映像を表示する表示画面６１２を有している。
無線端末６０６は、撮影装置６１１で電子機器６０１に表示してある表示部用拡張現実パターン画像(ARマーカー)６０３、または操作部用拡張現実パターン画像(ARマーカー)６０４を撮影する。
【００２９】
表示部用拡張現実パターン画像(ARマーカー)６０３は、電子機器６０１の動作状態を表示したものである。
無線端末６０６は、撮影装置６１１で撮影した表示部用拡張現実パターン画像(ARマーカー)６０３を表示部６０８に合成表示し、かつ電子機器６０１の制御部６１０から無線通信装置６０５経由にて無線通信６０７で取得した電子機器６０１の動作状況表示を表示部６０８に合成表示することで、あたかも電子機器６０１の表示部が仮想的に設置されているように見せるものである。
【００３０】
また、操作部用拡張現実パターン画像(ARマーカー)６０４は、電子機器６０１の操作を実施する操作部に相当する画像である。
無線端末６０６は、撮影装置６１１で撮影した操作部用拡張現実パターン画像(ARマーカー)６０４を表示部６０８に合成表示し、かつ無線端末６０６を操作することで、無線端末６０６が無線通信６０７によって操作指示情報を送信する。電子機器６０１の無線通信装置６０５は受信した操作情報を制御部６１０に伝送する。
【００３１】
操作者は、無線端末６０６の表示画面６１２を操作することによって、電子機器６０１を直接触れることなく、あたかも電子機器６０１の操作部を直接操作しているように操作できる。
【００３２】
なお、図６は説明のために蓋６０２が開いた状態としているが、これは電子機器の表示部用の拡張現実パターン画像(ARマーカー)６０３、および電子機器の操作部用の拡張現実パターン画像(ARマーカー)６０４が電子装置の内部にあること仮定した実施例を示しているためであり、本発明を実施するあたり必ずしも蓋６０２が空いている必要はない。
【００３３】
次に、本発明の第３実施形態の動作について図７を用いて説明する。
図７は本発明の第３実施形態に係る電子機器の動作を説明するための図である。
電子機器７０１は、無線通信装置７０５を持ち物理的に離れた位置から無線端末７０６の操作により電子機器７０１を遠隔操作ができるものである。
【００３４】
無線端末７０６は、撮影装置７０９、及び撮影した映像を表示する表示部７１０を有している。
無線端末７０６は、撮影装置７０９で電子機器７０１に表示してある電子機器の表示部用拡張現実パターン画像(ARマーカー)７０３、または電子機器の操作部用拡張現実パターン画像(ARマーカー)７０４を撮影する。
【００３５】
表示部用拡張現実パターン画像(ARマーカー)７０３は電子機器７０１の動作状態を表示したものである。
無線端末７０６は、撮影装置７０９で撮影した表示部用拡張現実パターン画像(ARマーカー)７０３を表示部７０８に合成表示し、無線通信７０７で取得した電子機器７０１の動作状況表示を表示部７０８に表示することで、あたかも電子機器７０１の表示部が仮想的に設置されているように見せるものである。
【００３６】
無線端末７０６は、電子機器７０１から離れた位置にあることを鑑みると図６の実施例の画面では表示部７０８が小さく表示され、情報が読み取れないことも考えられる。
本発明によると、無線端末７０６は、撮影装置７０９により撮影された電子機器７０１の映像を無線端末７０６操作により無線端末７０６の表示画面７１０に電子機器７０１の映像の特定部分を拡大表示し、電子機器７０１の映像の一部だけを表示した状態でも、実際に無線端末７０６に表示された映像の大きさに合わせ表示部７０８に画像情報を表示することができる。
【００３７】
なお、図７は説明のために蓋７０２が開いた状態としているが、これは電子機器の表示部用の拡張現実パターン画像(ARマーカー)７０３、および電子機器の操作部用の拡張現実パターン画像(ARマーカー)７０４が電子装置の内部にあること仮定した実施例を示しているため、本発明を実施するあたり必ずしも蓋７０２が空いている必要はない。
【００３８】
上述の表示部、表示画面は、タッチパネル式の表示装置であってもよい。
【００３９】
本発明の実施形態である電子機器は、電子機器の操作時に問題となる機器の動誤動作を低減または全く生じさせずに電子機器の操作ができるようになる。
また、直接電子機器に触れることなく電子機器を操作することができるため、人を死傷に至らせる原因となる感電や、誤った操作による電子機器の破損を根本的に防止することができる。
【００４０】
以上、本発明の一実施形態について詳細に説明したが、本発明は上述した実施形態に限定されるものではなく、本発明の趣旨を逸脱しない範囲で種々変更して実施することができる。
【産業上の利用可能性】
【００４１】
電子機器の操作時に機器の蓋を開にしたことを検出できることによって、予め機器の保全のための制御動作に変更する用途に適用できる。
【符号の説明】
【００４２】
１０１…電子機器、１０２…蓋、１０３…表示部、１０４…操作部、１０５…静電気放電、１０６…蓋開検出器、１０７…制御部、２０１…電子機器、２０２…蓋、２０３…表示部、２０４…操作部、２０５…静電気放電、３０１…蓋開閉判断、３０２…通常動作処理、３０３…保護動作処理、３０４…蓋開閉判断、４０１〜４０８…制御方法、５０１…電子機器、５０２…蓋、５０３…表示部、５０４…操作部、５０５…無線通信装置、５０６…無線端末、５０７…無線通信、５０８…表示部、５０９…操作部、５１０…制御部、６０１…電子機器、６０２…蓋、６０３…表示部用ARマーカー、６０４…操作部用ARマーカー、６０５…無線通信装置、６０６…無線端末、６０７…無線通信、６０８…表示部、６０９…操作部、６１０…制御部、６１１…撮影装置、６１２…表示画面、７０１…電子機器、７０２…蓋、７０３…表示部用ARマーカー、７０４…操作部用ARマーカー、７０５…無線通信装置、７０６…無線端末、７０７…無線通信、７０８…表示部、７０９…撮影装置、７１０…表示画面。
【図１】
2018180584.tif 000003
【図２】
2018180584.tif 000004
【図３】
2018180584.tif 000005
【図４】
2018180584.tif 000006
【図５】
2018180584.tif 000007
【図６】
2018180584.tif 000008
【図７】
2018180584.tif 000009